(57)【特許請求の範囲】
【請求項１】
複数の光源の各光出力を第１の光出力と第１の光出力より高い第２の光出力との間で周期的に各々変化させ、各光源の光出力は他の少なくとも１つの光源の変化タイミングから所定時間遅れて変化することで、店舗の展示スペースに配置された複数の商品を、照明対象の商品が時間とともに変わるように照明し、各光源が第２の光出力を維持して照明対象の商品を照明する定常時間を略１．７秒から３秒としたことを特徴とする照明手法。
【請求項２】
各光源の光出力が第１の光出力から変化して第２の光出力に達するまでのフェードイン時間、および第２の光出力から変化して第１の光出力に達するまでのフェードアウト時間を、略２秒としたことを特徴とする請求項１記載の照明手法。
【請求項３】
複数の光源と、各光源を調光制御する制御手段とを備え、制御手段は、複数の光源の各光出力を第１の光出力と第１の光出力より高い第２の光出力との間で周期的に各々変化させ、各光源の光出力は他の少なくとも１つの光源の変化タイミングから所定時間遅れて変化することで、店舗の展示スペースに配置された複数の商品を、照明対象の商品が時間とともに変わるように照明し、各光源が第２の光出力を維持して照明対象の商品を照明する定常時間を略１．７秒から３秒としたことを特徴とする照明装置。
【発明の詳細な説明】
【技術分野】
【０００１】
本発明は、照明手法、および照明装置に関するものである。
【背景技術】
【０００２】
図１３に示すような物販店舗において、通常の商品は棚ＳＨに陳列するが、店頭のショーウィンドウＳＷもしくはその近傍のステージ（以下、マグネット（ビジュアル）ポイントＭＰと称する）等の展示スペースでの展示は、その店舗・売り場の役立ち度を客に伝え、購買意欲を効果的に向上させて、客を引き付け、店舗に入り易くすることを目的としている。例えば、主たる商品が衣服の場合、単に単品で展示するよりは、
（１）かばん、帽子、傘等の関連商品と組み合わせたり、熟年夫婦や若い夫婦の組み合わせのように、家族構成で使用している状況を設定したりして、「このような使い勝手が考えられる、このような生活が期待できる」ということを訴求する。
（２）季節感等のテーマを起承転結で表現し、それを順に展示するというように、物語性を持たせて展示する。
ことが効果的であるといわれている。
【０００３】
マネキンメーカは、「衣服を単にハンガーに展示するよりは、マネキン人形に着せて展示するほうが訴求効果が高い」としている。この証明はできていないが、その傾向はあるであろう。
【０００４】
また、図１４（ａ）に示すように意図なく、４体のマネキン人形（以下、マネキンと称す）Ｍ１１〜Ｍ１４のように様々な商品を羅列する展示は狙いが絞り込めず、客の引き付け効果が弱いが、図１４（ｂ）に示すようにある規則（この場合は模様が斜め方向に統一されている）にしたがってマネキンＭ１１〜Ｍ１４を配置したり、図１４（ｃ）に示すように子世代のマネキンＭ１１，Ｍ１２と親世代のマネキンＭ１３，Ｍ１４とを配置して、ある生活シーンを想定させるように工夫を凝らした展示は、客の引き付け効果が高いといわれている。
【０００５】
また、展示している商品を照明しても引き付け効果が高まる。例えば、図１５に示す照明装置は、配線用と固定用とを兼ねたダクトＤに白熱電球を光源として設けたスポットライトからなる重点照明器具Ｌａ１１〜Ｌａ１４を取り付けたもので、重点照明器具Ｌａ１１〜Ｌａ１４は商用電源Ｖｓに直接接続されて、マネキンＭ１１〜Ｍ１４を各々照明する。しかし、重点照明器具Ｌａ１１〜Ｌａ１４は調光不可能な構成となっている。
【０００６】
そこで、調光可能な照明装置を用いて、ストーリー性を有する例えば２つから４つのシーンを、順を追って変化させて照明すれば、展示する意図が客にさらに伝わりやすくなる。また、展示意図に関わらず、数秒で変化する光は人の目を引きやすい。さらに、調光可能な照明装置であれば、光源から出力される光量を下限から設定値まで上昇させるフェードイン、設定値から下限まで下降させるフェードアウトの傾きや、フェードイン時間、フェードアウト時間を設定し、気付き易さを向上させて、照明を見る者に光の揺らめき感や華やか感等のアイキャッチ効果を与えるものがある。（例えば、特許文献１参照）。
【特許文献１】特開平１０−００３９９１号公報（段落番号［００１７］、図６）
【発明の開示】
【発明が解決しようとする課題】
【０００７】
ショーウィンドウＳＷやマグネットポイントＭＰを照明するために調光可能な照明装置を用いた場合、光源の光出力を時間を追ってスケジュール制御するには、ショーウィンドウＳＷやマグネットポイントＭＰの管理者が、各光源の調光レベルの設定機能、フェードイン時間、フェードアウト時間の設定機能、調光機能等を有する各装置を組み合わせて、どのような時間間隔で調光制御するかを試行錯誤で設定する必要があった。
【０００８】
ここで、このような照明装置に関する知識を十分に有する人であれば、幾つかの装置を組み合わせて回路やタイマー等を組み上げて、調光制御の時間設定を行うことは比較的容易である。しかし、ショーウィンドウＳＷやマグネットポイントＭＰの管理者は、商品展示に関する知識は十分に有するが、照明装置に関する知識は少ない者が大多数であり、調光制御の時間設定は面倒であり、大きな障壁になっている。また、このような商品展示は年中のように頻繁に展示内容を変更しており、その度に調光制御の時間設定を試行錯誤で行うことは非常に面倒であった。したがって、通常の展示照明においては、背景の明るさを確保するためのベース照明器具や、商品やマネキンを照明するための重点照明器具に一定の出力を供給する調光不可能な照明装置が採用されることが多かった。
【０００９】
しかしながら、ショーウィンドウＳＷやマグネットポイントＭＰの展示のための照明は、客の目を引き付けて購買意欲を向上させるために、客が気付き易いものであることが望ましく、光量が変化することで気付き易さが向上する。しかし、変化する光にも、目に煩わしくなく安心して見ていられる光や、目に煩わしく安心して見ることができない光があり、安心して見ていられるほうが望ましい。すなわち、気付き易さだけを向上させるのではなく、気付き易さと目に煩わしくなく安心して見ていられることとを両立させるか、あるいはいずれか一方が悪くならないことが要求される。
【００１０】
本発明は、上記事由に鑑みてなされたものであり、その目的は、店舗のショーウィンドウやマグネットポイント等の展示スペースでの照明に気付き易く、且つ目に煩わしくなく安心して見ていられるとともに、調光制御の時間設定を容易に行なうことができる照明手法、および照明装置を提供することにある。
【課題を解決するための手段】
【００１１】
請求項１の照明手法は、複数の光源の各光出力を第１の光出力と第１の光出力より高い第２の光出力との間で周期的に各々変化させ、各光源の光出力は他の少なくとも１つの光源の変化タイミングから所定時間遅れて変化することで、店舗の展示スペースに配置された複数の商品を、照明対象の商品が時間とともに変わるように照明し、各光源が第２の光出力を維持して照明対象の商品を照明する定常時間を略１．７秒から３秒としたことを特徴とする。
【００１２】
この発明によれば、各光源が第２の光出力を維持して照明対象の商品を照明する定常時間を略１．７秒から３秒としたので、店舗のショーウィンドウやマグネットポイント等の展示スペースでの照明に気付き易く、且つ目に煩わしくなく安心して見ていられるとともに、試行錯誤することなく無調整あるいは微小な調整だけで設定を完了することができ、調光制御の時間設定を容易に行なうことができる。
【００１３】
請求項２の照明手法は、請求項１において、各光源の光出力が第１の光出力から変化して第２の光出力に達するまでのフェードイン時間、および第２の光出力から変化して第１の光出力に達するまでのフェードアウト時間を、略２秒としたことを特徴とする。
【００１４】
この発明によれば、フェードイン時間、フェードアウト時間を略２秒としたので、展示への気付き易さ、見ているときの安心感がさらに向上するとともに、調光制御の時間設定をさらに容易に行なうことができる。
【００１５】
請求項３の照明装置は、複数の光源と、各光源を調光制御する制御手段とを備え、制御手段は、複数の光源の各光出力を第１の光出力と第１の光出力より高い第２の光出力との間で周期的に各々変化させ、各光源の光出力は他の少なくとも１つの光源の変化タイミングから所定時間遅れて変化することで、店舗の展示スペースに配置された複数の商品を、照明対象の商品が時間とともに変わるように照明し、各光源が第２の光出力を維持して照明対象の商品を照明する定常時間を略１．７秒から３秒としたことを特徴とする。
【００１６】
この発明によれば、各光源が第２の光出力を維持して照明対象の商品を照明する定常時間を略１．７秒から３秒としたので、店舗のショーウィンドウやマグネットポイント等の展示スペースでの照明に気付き易く、且つ目に煩わしくなく安心して見ていられるとともに、試行錯誤することなく無調整あるいは微小な調整だけで設定を完了することができ、調光制御の時間設定を容易に行なうことができる。
【発明の効果】
【００１７】
以上説明したように、本発明では、各光源が所定の出力を維持して照明対象の商品を照明する定常時間を略１．７秒から３秒としたので、店舗のショーウィンドウやマグネットポイント等の展示スペースでの照明に気付き易く、且つ目に煩わしくなく安心して見ていられるとともに、試行錯誤することなく無調整あるいは微小な調整だけで設定を完了することができ、調光制御の時間設定を容易に行なうことができるという効果がある。
【発明を実施するための最良の形態】
【００１８】
以下、本発明の実施の形態を図面に基づいて説明する。
【００１９】
（実施形態１）
本実施形態は、図１３に示す物販店舗において、店頭のショーウィンドウＳＷもしくはマグネットポイントＭＰでの展示を照明する照明手法、および照明装置に関するものである。
【００２０】
図２に示す照明装置は、商用電源Ｖｓを入力とする記憶式制御装置１と、調光装置２と、計時装置３と、配線用と固定用とを兼ねたダクトＤに取り付けられた４台の重点照明器具Ｌａ１〜Ｌａ４とを備え、記憶式制御装置１は、計時装置３が接続され、調光装置２を介して４個の重点照明器具Ｌａ１〜Ｌａ４を調光制御する。そして、記憶式制御装置１に重点照明器具Ｌａ１〜Ｌａ４の調光レベルを予め設定し、計時装置３に重点照明器具Ｌａ１〜Ｌａ４の点灯、調光スケジュールを設定して、記憶式制御装置１で設定された調光レベル、および計時装置３で設定されたスケジュールにしたがって、調光装置２は重点照明器具Ｌａ１〜Ｌａ４を各々調光する。
【００２１】
重点照明器具Ｌａ１〜Ｌａ４は、店舗として、各部位毎に陳列している商品群の特徴を最も表現している商品、商品群を狙って照明する照明器具であり、照明する商品が互いに異なる。また、重点照明器具Ｌａ１〜Ｌａ４には、例えば、図３に示すように白熱電球を光源４として設けたスポットライトＬｓｐが用いられる。
【００２２】
そして、重点照明器具Ｌａ１〜Ｌａ４の各光出力を図１のように、Ｌａ１→Ｌａ２→Ｌａ３→Ｌａ４の順に、前の重点照明器具から所定時間（後述するフェードイン時間ｔｉと定常時間ｔｃとの和）だけ遅らせて、零（第１の光出力）と予め設定した調光レベルＡ（第２の光出力）との間で単調且つ周期的に各々変化させることによって、複数の商品を、照明対象の商品を順に変えて繰り返し照明する。
【００２３】
まず、記憶式制御装置１は、重点照明器具Ｌａ１の調光レベルを零から予め設定した調光レベルＡになるまで上昇させる。なお、この動作をフェードインと呼び、調光レベルが零から調光レベルＡに達するまでの時間がフェードイン時間ｔｉである。フェードインの後、調光レベルＡ一定にした定常状態を定常時間ｔｃ維持する。定常状態の後、重点照明器具Ｌａ１の調光レベルをＡから零になるまで低下させる。なお、この動作をフェードアウトと呼び、調光レベルがＡから零に達するまでの時間がフェードアウト時間ｔｏである。上記フェードイン時間ｔｉ、フェードアウト時間ｔｏ、定常時間ｔｃは、計時装置３で設定され、フェードイン時間ｔｉとフェードアウト時間ｔｏとは同一時間とする。
【００２４】
次に、重点照明器具Ｌａ２は、重点照明器具Ｌａ１がフェードアウトを開始した時点からフェードインを開始して、上記重点照明器具Ｌａ１と同様の動作を行い、次に重点照明器具Ｌａ３は、重点照明器具Ｌａ２がフェードアウトを開始した時点からフェードインを開始して、上記重点照明器具Ｌａ１と同様の動作を行い、次に重点照明器具Ｌａ４は、重点照明器具Ｌａ３がフェードアウトを開始した時点からフェードインを開始して、上記重点照明器具Ｌａ１と同様の動作を行い、次に重点照明器具Ｌａ１は、重点照明器具Ｌａ４がフェードアウトを開始した時点からフェードインを開始し、以下、上記動作を繰り返す。
【００２５】
そして、上記照明装置を用いて以下の実験を行った。まず、図４（ａ）〜（ｄ）に示すように実験室に４体のマネキンＭ１〜Ｍ４を左右一列に配置し、重点照明器具Ｌａ１の発する照射光Ｂ１はマネキンＭ１を照明し、重点照明器具Ｌａ２の発する照射光Ｂ２はマネキンＭ２を照明し、重点照明器具Ｌａ３の発する照射光Ｂ３はマネキンＭ３を照明し、重点照明器具Ｌａ４の発する照射光Ｂ４はマネキンＭ４を照明し、重点照明器具Ｌａ１→Ｌａ２→Ｌａ３→Ｌａ４→Ｌａ１→……の順に点灯して、マネキンＭ１→Ｍ２→Ｍ３→Ｍ４→Ｍ１……の順に左端から右端にかけて１体づつ照明される。
【００２６】
実験者は、フェードイン時間ｔｉ、定常時間ｔｃ、フェードアウト時間ｔｏを様々な時間に設定して、観察者は、照明に気付きやすいか、あるいは気付きにくいか、さらに目に煩わしくなく安心して見ていられるか、あるいは目に煩わしく安心して見ていられないかを判定して、フェードイン時間ｔｉ、定常時間ｔｃ、フェードアウト時間ｔｏの好ましさを主観評価する。
【００２７】
実験は、フェードイン時間ｔｉ、定常時間ｔｃ、フェードアウト時間ｔｏとして、１，２，５，１０秒に各々設定し、観察者は、年齢２０歳代から５０歳代の１５名（男性７名，女性８名）で行った。
【００２８】
図５（ａ）（ｂ）は定常時間ｔｃの評価結果を示し、ちょうどよい定常時間ｔｃは、フェード時間（フェードイン時間ｔｉ，フェードアウト時間ｔｏの両方を指す）に逆比例する範囲Ｚ１に存在しており、特に略１．７秒〜３秒であれば良好な結果が得られるといえる。
【００２９】
図６（ａ）（ｂ）はフェード時間ｔｉ，ｔｏの評価結果を示し、ちょうどよいフェード時間ｔｉ，ｔｏは、定常時間ｔｃに関わらず、２秒前後の範囲Ｚ２に存在しており、略２秒であれば良好な結果が得られるといえる。
【００３０】
したがって、定常時間ｔｃを略１．７秒〜３秒に設定し、フェードイン時間ｔｉ，フェードアウト時間ｔｏを略２秒に設定すれば、ショーウィンドウＳＷやマグネットポイントＭＰでの照明に気付き易く、且つ目に煩わしくなく安心して見ていられる。さらに、フェードイン時間ｔｉ、定常時間ｔｃ、フェードアウト時間ｔｏを上記範囲内で設定すればよいので、無調整あるいは微小な調整だけで設定を容易に完了することができ、試行錯誤する必要が無い。
【００３１】
また、定常時間ｔｃの設定範囲を略１．７秒〜３秒に予め限定し、フェードイン時間ｔｉ，フェードアウト時間ｔｏの設定値を略２秒に予め設定した計時装置３を備えた照明装置を用いれば、通過する人の目に違和感無くとまる照明の光量変化が予め設定されており、照明装置に関する知識が少なくても、さらに簡単に設定を完了することができる。
【００３２】
（実施形態２）
本実施形態の照明手法は、図２に示す照明装置において、図７（ａ）〜（ｄ）に示すように実験室に４体のマネキンＭ１〜Ｍ４を左右一列に配置し、重点照明器具Ｌａ１の発する照射光Ｂ１はマネキンＭ１を照明し、重点照明器具Ｌａ２の発する照射光Ｂ２はマネキンＭ２を照明し、重点照明器具Ｌａ３の発する照射光Ｂ３はマネキンＭ３を照明し、重点照明器具Ｌａ４の発する照射光Ｂ４はマネキンＭ４を照明する。そして、重点照明器具Ｌａ４は常に点灯して右端のマネキンＭ４が常に照明され、重点照明器具Ｌａ１〜Ｌａ３は、重点照明器具Ｌａ１→Ｌａ２→Ｌａ３→Ｌａ１→……の順に点灯して、左の３体のマネキンＭ１，Ｍ２，Ｍ３はマネキンＭ１→Ｍ２→Ｍ３→Ｍ１……の順に１体づつ照明される。
【００３３】
そして、実施形態１と同様に、重点照明器具Ｌａ１〜Ｌａ３の定常時間ｔｃは略１．７秒〜３秒の範囲内に設定され、フェードイン時間ｔｉ，フェードアウト時間ｔｏは、略２秒に設定されており、照明に気付き易く、且つ目に煩わしくなく安心して見ていられる。さらに、フェードイン時間ｔｉ、定常時間ｔｃ、フェードアウト時間ｔｏを上記範囲内で設定すればよいので、試行錯誤することなく無調整あるいは微小な調整だけで設定を容易に完了することができる。
【００３４】
また、定常時間ｔｃの設定範囲を略１．７秒〜３秒に予め限定し、フェードイン時間ｔｉ，フェードアウト時間ｔｏの設定値を略２秒に予め設定した計時装置３を備えた照明装置を用いれば、通過する人の目に違和感無くとまる照明の光量変化が予め設定されており、照明装置に関する知識が少なくても、さらに簡単に設定を完了することができる。
【００３５】
（実施形態３）
本実施形態の照明手法は、図２に示す照明装置において、図８（ａ）（ｂ）に示すように実験室に４体のマネキンＭ１〜Ｍ４を左右一列に配置し、重点照明器具Ｌａ１の発する照射光Ｂ１はマネキンＭ１を照明し、重点照明器具Ｌａ２の発する照射光Ｂ２はマネキンＭ２を照明し、重点照明器具Ｌａ３の発する照射光Ｂ３はマネキンＭ３を照明し、重点照明器具Ｌａ４の発する照射光Ｂ４はマネキンＭ４を照明し、重点照明器具Ｌａ１，Ｌａ２→Ｌａ３，Ｌａ４→Ｌａ１，Ｌａ２→……の順に点灯して、マネキンＭ１，Ｍ２→Ｍ３，Ｍ４→Ｍ１，Ｍ２……の順に２体づつ照明される。
【００３６】
そして、重点照明器具Ｌａ１，Ｌａ２のフェードイン、フェードアウトが同一タイミングとなり、重点照明器具Ｌａ３，Ｌａ４のフェードイン、フェードアウトが同一タイミングとなるが、実施形態１と同様に、重点照明器具Ｌａ１〜Ｌａ４の定常時間ｔｃは略１．７秒〜３秒の範囲内に設定され、フェードイン時間ｔｉ，フェードアウト時間ｔｏは、略２秒に設定されており、照明に気付き易く、且つ目に煩わしくなく安心して見ていられる。さらに、フェードイン時間ｔｉ、定常時間ｔｃ、フェードアウト時間ｔｏを上記範囲内で設定すればよいので、試行錯誤することなく無調整あるいは微小な調整だけで設定を容易に完了することができる。
【００３７】
また、定常時間ｔｃの設定範囲を略１．７秒〜３秒に予め限定し、フェードイン時間ｔｉ，フェードアウト時間ｔｏの設定値を略２秒に予め設定した計時装置３を備えた照明装置を用いれば、通過する人の目に違和感無くとまる照明の光量変化が予め設定されており、照明装置に関する知識が少なくても、さらに簡単に設定を完了することができる。
【００３８】
（実施形態４）
実施形態１〜３は、商品やマネキンを照明するための重点照明器具のみを用いたが、本実施形態では、図９に示すように、背景の明るさを確保するための２個のベース照明器具Ｌｂ１，Ｌｂ２を設けて重点照明器具Ｌａ１〜Ｌａ４と併せて用いる。
【００３９】
ベース照明器具Ｌｂ１，Ｌｂ２は、ショーウィンドウＳＷやマグネットポイントＭＰの明るさを確保するもので、図１０（ａ）（ｂ）に示すように蛍光灯を光源５として設けた蛍光灯照明器具Ｌｆ、または図１１（ａ）（ｂ）に示すように白熱電球あるいは蛍光灯を光源６として設けたダウンライトＬｄで構成され、重点照明器具Ｌａ１〜Ｌａ４、ベース照明器具Ｌｂ１，Ｌｂ２を組み合わせることによって、客は重点箇所にさらに引き付けられ、その場所で商品を選定したり、店内に入ることを決心する。
【００４０】
図９に示す照明装置において、図１２（ａ）（ｂ）に示すように実験室に４体のマネキンＭ１〜Ｍ４を左右一列に配置し、重点照明器具Ｌａ１の発する照射光Ｂ１はマネキンＭ１を照明し、重点照明器具Ｌａ２の発する照射光Ｂ２はマネキンＭ２を照明し、重点照明器具Ｌａ３の発する照射光Ｂ３はマネキンＭ３を照明し、重点照明器具Ｌａ４の発する照射光Ｂ４はマネキンＭ４を照明する。さらに、ベース照明器具Ｌｂ１の発する照射光Ｃ１はマネキンＭ１，Ｍ２の背景を照明し、ベース照明器具Ｌｂ２の発する照射光Ｃ２はマネキンＭ３，Ｍ４の背景を照明する。そして、重点照明器具Ｌａ１〜Ｌａ４は常に点灯してマネキンＭ１〜Ｍ４は常に重点照明され、ベース照明器具Ｌｂ１，Ｌｂ２は、ベース照明器具Ｌｂ１→Ｌｂ２→Ｌｂ１→……の順に点灯して、マネキンＭ１，Ｍ２の背景→マネキンＭ３，Ｍ４の背景→マネキンＭ１，Ｍ２の背景……の順にベース照明される。
【００４１】
そして、ベース照明器具Ｌｂ１，Ｌｂ２の定常時間ｔｃは略１．７秒〜３秒の範囲内に設定され、フェードイン時間ｔｉ，フェードアウト時間ｔｏは、略２秒に設定されており、照明に気付き易く、且つ目に煩わしくなく安心して見ていられる。さらに、フェードイン時間ｔｉ、定常時間ｔｃ、フェードアウト時間ｔｏを上記範囲内で設定すればよいので、試行錯誤することなく無調整あるいは微小な調整だけで設定を容易に完了することができる。
【００４２】
また、定常時間ｔｃの設定範囲を略１．７秒〜３秒に予め限定し、フェードイン時間ｔｉ，フェードアウト時間ｔｏの設定値を略２秒に予め設定した計時装置３を備えた照明装置を用いれば、通過する人の目に違和感無くとまる照明の光量変化が予め設定されており、照明装置に関する知識が少なくても、さらに簡単に設定を完了することができる。
【図面の簡単な説明】
【００４３】
【図１】本発明の実施形態１の照明手法を示す図である。
【図２】同上の照明装置を示す図である。
【図３】同上の重点照明器具を示す図である。
【図４】（ａ）〜（ｄ）同上の照明順序を示す図である。
【図５】（ａ）（ｂ）同上の定常時間の評価結果を示す図である。
【図６】（ａ）（ｂ）同上のフェード時間の評価結果を示す図である。
【図７】（ａ）〜（ｄ）本発明の実施形態２の照明順序を示す図である。
【図８】（ａ）（ｂ）本発明の実施形態３の照明順序を示す図である。
【図９】本発明の実施形態４の照明装置を示す図である。
【図１０】同上のベース照明器具を示す図である。
【図１１】同上のベース照明器具を示す図である。
【図１２】（ａ）（ｂ）同上の照明順序を示す図である。
【図１３】店舗の概略構成を示す図である。
【図１４】（ａ）〜（ｃ）従来の展示例を示す図である。
【図１５】従来の照明装置を示す図である。
【符号の説明】
【００４４】
Ｖｓ  商用電源
１  記憶式制御装置
２  調光装置
３  計時装置
Ｌａ１〜Ｌａ４  重点照明器具
ｔｉ  フェードイン時間
ｔｏ  フェードアウト時間
ｔｃ  定常時間
Ａ  調光レベル
【図１】
0004747696.tif 000002
【図２】
0004747696.tif 000003
【図３】
0004747696.tif 000004
【図４】
0004747696.tif 000005
【図５】
0004747696.tif 000006
【図６】
0004747696.tif 000007
【図７】
0004747696.tif 000008
【図８】
0004747696.tif 000009
【図９】
0004747696.tif 000010
【図１０】
0004747696.tif 000011
【図１１】
0004747696.tif 000012
【図１２】
0004747696.tif 000013
【図１３】
0004747696.tif 000014
【図１４】
0004747696.tif 000015
【図１５】
0004747696.tif 000016